(57)【要約】【課題】  各スタジオ毎に最適な画像処理条件を設定しておくことで、画像データ毎に最適な画像処理を可能とする。【解決手段】  この画像処理条件設定システムには、画像データに対して画像処理を施すための複数の画像処理条件を登録する画像処理条件登録手段と、画像データを複数指定する画像データ指定手段とが備えられている。そして、画像処理条件設定システムには、画像データ指定手段によって指定されたそれぞれの画像データに対して、画像処理条件登録手段によって登録された画像処理条件を関連づける画像処理条件関連手段が備えられている。【選択図】図１
2005309904.tif 000002
【特許請求の範囲】
【請求項１】
撮影により得られた画像データに対して画像処理を施すための複数の画像処理条件を登録する画像処理条件登録手段と、
前記画像データを複数指定する画像データ指定手段と、
前記画像データ指定手段によって指定されたそれぞれの前記画像データに対して、前記画像処理条件登録手段によって登録された画像処理条件を関連づける画像処理条件関連手段とを備えることを特徴とする画像処理条件設定システム。
【請求項２】
請求項１記載の画像処理条件設定システムにおいて、
前記画像処理条件関連手段により関連づけられた画像処理条件を基に、前記画像データを画像処理する画像処理手段を備えることを特徴とする画像処理条件設定システム。
【請求項３】
請求項１又は２記載の画像処理条件設定システムにおいて、
前記画像データ指定手段は、少なくとも１つ以上の前記画像データを格納するフォルダを複数指定し、
前記画像処理条件関連手段は、前記画像データ指定手段で指定された複数の前記フォルダのそれぞれに対して、当該フォルダに格納されている前記画像データと、前記画像処理条件とを関連づけることを特徴とする画像処理条件設定システム。
【請求項４】
撮影により得られた画像データに対して画像処理を施すための複数の画像処理条件を登録する画像処理条件登録手段と、
プリントに用いられる前記画像データを複数指定する画像データ指定手段と、
前記画像データ指定手段によって指定されたそれぞれの前記画像データに対して、前記画像処理条件登録手段によって登録された画像処理条件を関連づける画像処理条件関連手段と、
前記画像処理条件関連手段により関連づけられた画像処理条件を基に、前記画像データを画像処理する画像処理手段とを備えることを特徴とするプリント注文システム。
【請求項５】
請求項４記載のプリント発注システムにおいて、
前記画像データ指定手段は、少なくとも１つ以上の前記画像データを格納するフォルダを複数指定し、
前記画像処理条件関連手段は、前記画像データ指定手段で指定された複数の前記フォルダのそれぞれに対して、当該フォルダに格納されている少なくとも１つ以上の前記画像データと、前記画像処理条件とを関連づけることを特徴とするプリント発注システム。
【発明の詳細な説明】
【技術分野】
【０００１】
本発明は、画像処理条件設定システム及びプリント注文システムに係り、特に、デジタルカメラにより得られた画像データに対する画像処理条件設定システム及びプリント注文システムに関する。
【背景技術】
【０００２】
近年、デジタルカメラの性能向上に伴って、プロのカメラマンなどが撮影を行う写真館においてもデジタルカメラが用いられるようになってきた。デジタルカメラでは被写体が撮影されると、画像データが作成されるために、その画像データに対して画像処理を施せば、撮影者の意図した色調で写真をプリントできるようになっている。
ここで、撮影者が画像処理の条件を画像データ毎に設定するのは手間がかかるために、近年においては、撮影時に想定される複数のシーン毎に画像処理条件が予め設定されていて、画像データから当該画像データが得られたシーンを判定し、そのシーンに対応する画像処理条件で画像データを画像処理する画像処理方法が開発されている（例えば特許文献１参照）。
また、写真館では同一の被写体を様々な種類のデジタルカメラで撮影する場合があるが、各デジタルカメラ毎に特性が異なっているために、撮影により得られた画像データに対してそれぞれ条件の異なる画像処理を施すことによって、デジタルカメラ種毎の個体差を抑制している。
【特許文献１】特開２０００−２７８５２４号公報
【発明の開示】
【発明が解決しようとする課題】
【０００３】
しかしながら、写真館においては複数のスタジオが併設されているために、写真館での撮影では、複数のスタジオを股に掛けて同一被写体を同一デジタルカメラで撮影する場合もある。この場合、スタジオ毎にその特性が異なるので、デジタルカメラ種毎に画像処理条件を変更したとしても、スタジオの個体差が反映されてしまうおそれがあった。
【０００４】
本発明の課題は、各スタジオ毎に最適な画像処理条件を設定しておくことで、画像データ毎に最適な画像処理を可能とすることである。
【課題を解決するための手段】
【０００５】
請求項１記載の発明における画像処理条件設定システムは、
撮影により得られた画像データに対して画像処理を施すための複数の画像処理条件を登録する画像処理条件登録手段と、
前記画像データを複数指定する画像データ指定手段と、
前記画像データ指定手段によって指定されたそれぞれの前記画像データに対して、前記画像処理条件登録手段によって登録された画像処理条件を関連づける画像処理条件関連手段とを備えることを特徴としている。
【０００６】
請求項１記載の発明によれば、画像処理条件登録手段によって、複数の画像処理条件を登録できるので、スタジオ毎に最適な画像処理条件を登録することが可能になる。そして、画像処理条件関連手段が、画像処理条件登録手段によって登録された複数の画像処理条件を、画像データ指定手段によって指定された複数の画像データのそれぞれに対して関連づけるので、各画像データに対して、当該画像データの撮影場所であるスタジオの画像処理条件を関連づけることができる。このように、画像データと当該画像データのスタジオの画像処理条件とが関連づけられていれば、画像データ毎に最適な画像処理を施すことができる。
【０００７】
請求項２記載の発明は請求項１記載の画像処理条件設定システムにおいて、
前記画像処理条件関連手段により関連づけられた画像処理条件を基に、前記画像データを画像処理する画像処理手段を備えることを特徴としている。
【０００８】
請求項２記載の発明によれば、画像処理手段が、画像処理条件関連手段により関連づけられた画像処理条件を基に画像データを画像処理するので、画像データをシステム内で最適に画像処理することができる。
【０００９】
請求項３記載の発明は、請求項１又は２記載の画像処理条件設定システムにおいて、
前記画像データ指定手段は、少なくとも１つ以上の前記画像データを格納するフォルダを複数指定し、
前記画像処理条件関連手段は、前記画像データ指定手段で指定された複数の前記フォルダのそれぞれに対して、当該フォルダに格納されている前記画像データと、前記画像処理条件とを関連づけることを特徴としている。
【００１０】
請求項３記載の発明によれば、画像データ指定手段がフォルダを複数指定すると、画像処理条件関連手段は画像データ指定手段で指定された複数のフォルダのそれぞれに対して、当該フォルダに格納されている画像データと画像処理条件とを関連づけので、フォルダに格納された画像データであれば、一括して画像処理条件と関連づけることが可能になる。
【００１１】
請求項４記載の発明におけるプリント注文システムは、
撮影により得られた画像データに対して画像処理を施すための複数の画像処理条件を登録する画像処理条件登録手段と、
プリントに用いられる前記画像データを複数指定する画像データ指定手段と、
前記画像データ指定手段によって指定されたそれぞれの前記画像データに対して、前記画像処理条件登録手段によって登録された画像処理条件を関連づける画像処理条件関連手段と、
前記画像処理条件関連手段により関連づけられた画像処理条件を基に、前記画像データを画像処理する画像処理手段とを備えることを特徴としている。
【００１２】
請求項４記載の発明によれば、画像データをプリント注文する際においても、画像処理条件関連手段により関連づけられた画像処理条件を基に画像データを画像処理するので、画像データを最適に画像処理することができる。
【００１３】
請求項５記載の発明は、請求項４記載のプリント発注システムにおいて、
前記画像データ指定手段は、少なくとも１つ以上の前記画像データを格納するフォルダを複数指定し、
前記画像処理条件関連手段は、前記画像データ指定手段で指定された複数の前記フォルダのそれぞれに対して、当該フォルダに格納されている少なくとも１つ以上の前記画像データと、前記画像処理条件とを関連づけることを特徴としている。
【００１４】
請求項５記載の発明によれば、画像データをプリント注文する際においても、請求項３記載の発明と同等の作用、効果を得ることができる。
【発明の効果】
【００１５】
請求項１記載の発明によれば、画像データと当該画像データのスタジオの画像処理条件とが関連づけられていれば、画像データ毎に最適な画像処理を施すことができる。
請求項２記載の発明によれば、画像データをシステム内で最適に画像処理することができる。
請求項３記載の発明によれば、フォルダに格納された画像データを、一括して画像処理条件と関連づけることが可能になる。
【００１６】
請求項４記載の発明によれば、画像データをプリント注文する際においても、画像データを最適に画像処理することができる。
請求項５記載の発明によれば、画像データをプリント注文する際においても、請求項３記載の発明と同等の作用、効果を得ることができる。
【発明を実施するための最良の形態】
【００１７】
以下、添付図面を参照しつつ本発明の実施の形態について説明する。図１は、プリント注文システムの概略構成を表す説明図である。
【００１８】
プリント注文システム１は、写真館で撮影され、得られた画像データのプリント注文を、センターサーバを介してプリント工場に発注するものである。図１に示す各写真館１０には、入口フロア１１，待合室１２、衣装室１３、メイク着付け室１４、スタジオ１５，１６、プレゼン室１７、事務所１８などの複数の部屋が設けられている。また、写真館１０には、所定の部屋毎にＰＣなどの端末やサーバが配置されていて、各端末はＬＡＮ等によって各々通信できるように接続されている。
【００１９】
図２は端末２０の機能的構成を表すブロック図である。図２において、端末２０は、ＣＰＵ２１、表示部２２、操作部２３、メディア入力部２４、記憶部２５、通信部２６により構成され、各部は、バス２７により接続されている。
【００２０】
ＣＰＵ２１は、記憶部２５に格納された各種処理プログラムに従って、各部の動作を集中制御する。
表示部２２は、ＬＣＤやＣＲＴ等により構成され、ＣＰＵ２１から入力される表示信号に従って、所要の表示処理を行う。
操作部２３は、テンキー、カーソルキー、各種ファンクションキー等を有し、キーの押下による操作信号として、注文データ作成の際に、請求金額の変更を指示信号等をＣＰＵ２１に出力する。なお、操作部２３は、表示部２２のＬＣＤと一体になったタッチパネルを含んだ構成としてもよい。
【００２１】
メディア入力部２４は、メモリスティック（登録商標）、スマートメディア（登録商標）、コンパクトフラッシュ（登録商標）、マルチメディアカード（登録商標）、ＳＤメモリカード（登録商標）、ＰＣカード等のメモリカードが装着可能な構成となっている。
【００２２】
記憶部２５は、ＣＰＵ２１により実行される各種処理プログラム及びこれらの処理プログラムの実行時に使用されるデータ等を格納している。
通信部２６は、モデム、ターミナルアダプタ、ＬＡＮアダプタ等によって構成され、電話回線、ＩＳＤＮ回線、或いは専用線等の通信ネットワークを介して、外部機器との通信を行うための通信制御を行う。
【００２３】
以下、各部屋に設置される端末２０について説明する。
図１に示すように入口フロア１１には、受け付け用の受付端末３１が設けられている。受付端末３１は、写真館１０に訪れた顧客の依頼内容や顧客情報が入力されるようになっている。
スタジオ１５，１６には、画像入力用の画像入力端末３５，３６が設けられている。これらの画像入力端末３５，３６には、そのスタジオ１５，１６で用いられたデジタルカメラ３２，３３の画像データが入力されるようになっている。
【００２４】
プレゼン室１７には、画像処理後の画像を表示して、顧客に確認してもらう確認用の確認端末３７が設けられている。この確認端末３７に表示された画像を顧客が確認することで、プリントする画像が決定されることになる。
【００２５】
事務所１８には、各データを管理するサーバ３９が設置されているとともに、プリント工場に発注を行うための発注端末３８が設置されている。
【００２６】
サーバ３９は、受付端末３１からの依頼内容や顧客情報、画像入力端末３５，３６からの画像データ、確認端末３７からの確認情報等を格納、管理するようになっている。
【００２７】
発注端末３８は、撮影により得られた画像データに対して画像処理を施すための複数の画像処理条件が登録できるようになっている。ここで、スタジオ１５，１６毎に照明の光量やセットの配置等が異なるために、同一のデジタルカメラで同一被写体を撮影したとしても、同一の画像処理を行ってしまえばスタジオ１５，１６の個体差がプリント後の画像に反映されてしまうために、各スタジオ１５，１６毎に最適な画像処理条件を登録できるようになっている。具体的には、各スタジオ１５，１６の専用のデジタルカメラに対しては、そのデジタルカメラにとって最適な画像処理条件が登録でき、両スタジオ１５，１６で併用されるデジタルカメラに対しては各スタジオ１５，１６毎に最適な画像処理条件が登録できるようになっている。
【００２８】
また、発注端末３８は、サーバ３９に格納されている画像データのうち、プリント発注する画像データを複数指定するようになっている。サーバ３９には、様々な顧客の画像データが格納されているために、プリント発注する際においては、依頼主である顧客の画像データを指定しなければならない。
【００２９】
また、発注端末３８は、プリント発注する複数の画像データのそれぞれに対して、予め登録されている複数の画像処理条件のうち、最適な画像処理条件を関連づけ、その後、関連づけられた画像処理条件を基に画像データを画像処理するようになっている。
そして、発注端末３８は、確認端末３７に入力された確認結果を反映して注文データ及び画像処理された画像データを、ネットワークＮを介してセンターサーバ４０に出力するようになっている。
このように、本実施形態では発注端末３８が、本発明に係る画像処理条件登録手段、画像データ指定手段、画像処理条件関連手段、画像処理手段である。つまり、本実施形態のプリント注文システムには、本発明に係る画像処理条件設定システムが備えられている。
【００３０】
次に、本実施形態の作用について説明する。
先ず、顧客が写真館１０に来店し撮影を希望すると、店員は受付端末３１から顧客情報及び依頼内容を入力する。その後店員は、メイク着付け室１４で顧客に撮影の準備を施す。一方、カメラマンはスタジオ１５，１６のセッティングを行う。準備が整うと、カメラマンはスタジオ１５，１６内で所定のデジタルカメラ３２，３３を用いて撮影を行う。
撮影が完了すると、デジタルカメラ３２，３３に記憶されている画像データは、画像入力端末３５，３６を介してサーバ３９に格納される。ここで、サーバ３９のＣドライブには、少なくとも１つの画像データが格納されるフォルダが複数形成されており、スタジオ１５のデジタルカメラ３２に記憶されている画像データは、サーバ３９のｄａｔａ１フォルダに格納され、スタジオ１６のデジタルカメラ３３に記憶されている画像データは、サーバ３９のｄａｔａ２フォルダに格納される。
【００３１】
店員は発注端末３８を操作して、図３に示すような画像取込画面５０を表示させる。画像取込画面５０には、複数のフォルダ毎に画像処理条件が選択できる３つの画像処理条件選択部５１と、連絡事項が記入される連絡事項欄５５と、画像取込画面５０の表示以前の画面に戻るための戻るボタン５６と、取り込み画像を表示させるための画像取り込みボタン５７とが設けられている。
各画像処理条件選択部５１には、画像データの格納フォルダを参照できる参照ボタン５２と、画像データの取り込み元であるフォルダ表示される取り込み欄５３と、画像処理条件としてのＣＭＳ（カラーマネージメントシステム）情報が選択できる選択欄５４とが設けられている。選択欄５４では、予め発注端末３８に登録されている全ての画像処理条件が選択できるようになっている。
【００３２】
画像処理条件選択部５１で店員は、サーバ３９に格納されている複数の顧客のフォルダから今回撮影した顧客の画像データが格納されている複数のフォルダ（ｄａｔａ１フォルダ及びｄａｔａ２フォルダ）を選択するとともに、選択された複数のフォルダに最適なＣＭＳ情報を関連づける。これにより、指定された複数のフォルダのそれぞれに対して、当該フォルダに格納されている画像データと画像処理条件とを一括で関連づけられることができる。関連づけが完了すると、店員は画像取り込みボタン５７を操作し、取り込まれる画像を一覧で表示させる。この際、発注端末３８は、関連づけされたＣＭＳ情報に基づいて画像データを画像処理している。
なお、本実施形態では、取り込み欄５３でフォルダを指定する場合を例示して説明したが、画像データを指定してもよい。
【００３３】
図４は一覧表示画面を表す説明図である。一覧表示画面６０には、画像取込画面５０で選択された画像データが画像処理の施された状態で表示される画像表示部６１と、画像の取り込みを開始するためのＯＫボタン６２と、画像取込画面５０に戻るための戻るボタン６３とが設けられている。
店員は一覧表示された画像を視認して、選択された画像や画像処理に不具合がなければＯＫボタン６３を操作して、発注端末３８に画像の取り込みを開始させる。
【００３４】
画像の取り込みが完了すると、発注端末３８には図５に示すような再確認画面が表示される。再確認画面７０には、取り込まれた画像が一覧で表示される画像表示部７１と、画像を左９０度回転させるための左９０度回転ボタン７２と、画像を右９０度回転させるための右９０度回転ボタン７３と、画像を一括選択するための一括選択ボタン７４と、一括選択を解除するための一括選択解除ボタン７５と、選択された画像を削除するための削除ボタン７６と、選択された画像を発注するための発注ボタン７７とが設けられている。この再確認画面７０は、発注端末３８だけでなく確認端末３７にも表示されるものの、発注の確定は発注端末３８のみで行われるようになっている。
【００３５】
顧客は確認端末３７に表示された再確認画面７０を確認しながら、プリント注文する画像を確定する。この確定結果は発注端末３８にも反映されて、店員は、発注端末３８に表示された再確認画面７０の発注ボタン７７を操作して、注文を確定する。
【００３６】
以上のように、本実施形態のプリント注文システム１によれば、発注端末３８に複数の画像処理条件を登録できるので、スタジオ１５，１６毎に最適な画像処理条件を登録することが可能になる。そして、発注端末３８が、登録された複数の画像処理条件を、複数の画像データのそれぞれに対して関連づけるので、各画像データに対して、当該画像データの撮影場所であるスタジオ１５，１６の画像処理条件を関連づけることができる。このように、画像データと当該画像データのスタジオ１５，１６の画像処理条件とが関連づけられていれば、画像データ毎に最適な画像処理を施すことができる。
そして、発注端末３８は、関連づけられた画像処理条件を基に画像データを画像処理するので、画像データをシステム内で最適に画像処理することができる。
【００３７】
なお、本発明は上記実施形態に限らず適宜変更可能であるのは勿論である。
例えば、上記実施形態では、発注端末が画像処理条件関連手段であったが、発注以前に画像処理条件と画像データとを関連づけることができるのであれば、いずれの端末を画像処理条件関連手段にするが可能である。
さらに、上記実施形態では、発注端末が画像処理手段であったが、プリント以前に画像処理を行えるのであれば、いずれの端末であっても画像処理条件関連手段にすることが可能である。例えば、写真館１０に備わる端末以外であれば、センターサーバや、プリント工場での端末等が挙げられる。
【図面の簡単な説明】
【００３８】
【図１】本実施形態に係るプリント注文システムの概略構成を表す説明図である。
【図２】図１のプリント注文システムに備わる端末の機能的構成を表すブロック図である。
【図３】図１のプリント注文システムに備わる発注端末に表示される画像取込画面を表す説明図である。
【図４】図３の発注端末に表示される一覧表示画面を表す説明図である。
【図５】図３の発注端末に表示される再確認画面を表す説明図である。
【符号の説明】
【００３９】
１      プリント注文システム
２０      端末
３１      受付端末
３２，３３    デジタルカメラ
３５，３６    画像入力端末
３７      確認端末
３８      発注端末（画像処理条件登録手段、画像データ指定手段、画像処理条件関連手段、画像処理手段）
３９      サーバ
４０      センターサーバ
Ｎ      ネットワーク
【図１】
2005309904.tif 000003
【図２】
2005309904.tif 000004
【図３】
2005309904.tif 000005
【図４】
2005309904.tif 000006
【図５】
2005309904.tif 000007